(57)【要約】【課題】野縁係止部材を取付用野縁にワンタッチで固定して、取り付け作業時間の短縮を図ることができる天井点検口の外枠吊り下げ構造を提供する。【解決手段】外枠３の外枠部材に係止される外枠係止部４を備えた棒状の本体部２と、本体部２の外周面に係合する係合片１６と、係合片１６に連設された立ち上がり板部１２と、立ち上がり板部１２の上端に直角に連設された上端板部１０と、上端板部１０の先端に連設された野縁係止片１３とを備え、上端板部１０に長孔である貫通孔１１が形成され、立ち上がり板部１２に雌ねじ孔１５が形成されてなる野縁係止部材６と、雌ねじ孔１５に重なる丸孔２３を備えた立ち上がり板部２２と、立ち上がり板部２２の上端に９０°よりもやや大きめの角度で連設され本体部２が挿通可能な孔部２４を備えた上端板部２１とからなる係合部材７と、丸孔２３を介して雌ねじ孔１５に螺入する蝶ボルト８とを備える。【選択図】図１
2013023958.tif 000002
【特許請求の範囲】
【請求項１】
天井点検口の平面形状が矩形の外枠の少なくとも１組の対向する外枠部材に係止される外枠係止部を下端に備えた棒状の本体部と、
この本体部に装着され、本体部の外周面に係合する係合片と、この係合片から直角に上向きに立ち上がるように連設された立ち上がり板部と、この立ち上がり板部の上端に直角に前記係合片と平行となるように連設された上端板部と、この上端板部の先端に下向きに連設された野縁係止片とを備えるとともに、
立ち上がり板部と野縁係止片とに対して直交する方向に向くように上端板部に長孔が形成され、立ち上がり板部の略中央に雌ねじ孔が形成されてなる野縁係止部材と、
前記野縁係止部材の立ち上がり板部に外側から重なり略中央に前記雌ねじ孔に重なる丸孔を備えた立ち上がり板部と、この立ち上がり板部の上端に９０°よりもやや大きめの角度で連設され前記本体部が挿通可能な孔部を備えた上端板部とからなる係合部材と、
この係合部材の立ち上がり板部が野縁係止部材の立ち上がり板部に重なるように前記丸孔を介して前記雌ねじ孔に螺入する締め付け用雄ねじ部材とを備えた天井点検口の外枠吊り下げ装置。
【発明の詳細な説明】
【技術分野】
【０００１】
本発明は、天井点検口の外枠吊り下げ装置に関する。
【背景技術】
【０００２】
特許文献１に記載される天井点検口の外枠吊り下げ装置では、外枠吊り下げ装置の外枠に係合する係合部が、外枠の上端面もしくは外側面に設けられた溝に沿ってスライド可能とされており、係合部を外枠の溝に沿って移動させて、配線や配管などと干渉しない位置で外枠吊り下げ装置を外枠に係止させる。
【先行技術文献】
【特許文献】
【０００３】
【特許文献１】特開２００１−３５５４号公報
【発明の概要】
【発明が解決しようとする課題】
【０００４】
特許文献１に記載の天井点検口の外枠吊り下げ装置では、野縁係止部材を取付用野縁に固定するときに、雄ねじ部に螺合した蝶ナットを取付用野縁の位置まで移動させなければならず、取り付け作業に手間が掛かる。
【０００５】
本発明の目的は、野縁係止部材を取付用野縁にワンタッチで固定して、取り付け作業時間の短縮を図ることができる天井点検口の外枠吊り下げ装置を提供することである。
【課題を解決するための手段】
【０００６】
請求項１に記載の発明は、天井点検口の平面形状が矩形の外枠の少なくとも１組の対向する外枠部材に係止される外枠係止部を下端に備えた棒状の本体部と、この本体部に装着され、本体部の外周面に係合する係合片と、この係合片から直角に上向きに立ち上がるように連設された立ち上がり板部と、この立ち上がり板部の上端に直角に前記係合片と平行となるように連設された上端板部と、この上端板部の先端に下向きに連設された野縁係止片とを備えるとともに、立ち上がり板部と野縁係止片とに対して直交する方向に向くように上端板部に長孔が形成され、立ち上がり板部の略中央に雌ねじ孔が形成されてなる野縁係止部材と、前記野縁係止部材の立ち上がり板部に外側から重なり略中央に前記雌ねじ孔に重なる丸孔を備えた立ち上がり板部と、この立ち上がり板部の上端に９０°よりもやや大きめの角度で連設され前記本体部が挿通可能な孔部を備えた上端板部とからなる係合部材と、係合部材の立ち上がり板部と野縁係止部材の立ち上がり板部との間の隙間を狭めるように前記丸孔を介して前記雌ねじ孔に螺入する締め付け用雄ねじ部材とを備えている。
【発明の効果】
【０００７】
請求項１の発明によれば、締め付け用雄ねじ部材を丸孔を介して雌ねじ孔に螺入して、係合部材の立ち上がり板部と野縁係止部材の立ち上がり板部との間の隙間を狭めることができるので、野縁係止部材を取付用野縁にワンタッチで固定して、取り付け作業時間の短縮を図ることができる。
【図面の簡単な説明】
【０００８】
【図１】本発明の一実施の形態に係る天井点検口の外枠吊り下げ装置の斜視図である。
【図２】野縁係止部材の斜視図である。
【図３】係合部材の斜視図である。
【図４】天井点検口の外枠吊り下げ装置の正面図である。
【図５】天井点検口の外枠吊り下げ装置の側面図である。
【図６】天井点検口の外枠吊り下げ装置の平面図である。
【図７】天井点検口の外枠吊り下げ装置の下面図である。
【図８】天井点検口の外枠吊り下げ装置の取り付け状態を示す斜視図である。
【図９】天井点検口の外枠吊り下げ装置の取り付け状態を示す断面図である。
【発明を実施するための形態】
【０００９】
以下、本発明の第１の実施の形態について図１〜図９に基づいて説明する。図１は本発明の一実施の形態に係る天井点検口の外枠吊り下げ装置１の斜視図である。図２は野縁係止部材２の斜視図である。図３は係合部材７の斜視図である。図４は天井点検口の外枠吊り下げ装置１の正面図である。図５は天井点検口の外枠吊り下げ装置１の側面図である。図６は天井点検口の外枠吊り下げ装置１の平面図である。図７は天井点検口の外枠吊り下げ装置１の下面図である。図８は天井点検口の外枠吊り下げ装置１の取り付け状態を示す斜視図である。図９は天井点検口の外枠吊り下げ装置１の取り付け状態を示す断面図である。
【００１０】
天井点検口の外枠吊り下げ装置１（以下、外枠吊り下げ装置１という。）は、棒状に形成された本体部２と、本体部２の下端に設けられ天井点検口の外枠３に係止される外枠係止部４と、本体部２に装着され天井裏側の取り付け用野縁１４に係止される野縁係止部材６と、野縁係止部材６に隣接して本体部２に装着される係合部材７と、野縁係止部材６と係合部材７とを螺合する蝶ボルト８とを備える。
【００１１】
本体部２は断面が中実円形の金属製の棒状体である。外枠係止部４は金属製の板材を曲げ加工して形成される。外枠係止部４の断面は、コの字を形成する両側面の開口部が直角に外側に折り曲げられた形状を備え、コの字を形成する両側面には本体部が挿通される貫通孔９が形成される。外枠係止部４を外枠３に係止し易くするために、外枠係止部の角部は面取りされている。
【００１２】
野縁係止部材６は金属製の板材を曲げ加工して形成され、概ねＬ字状の断面を備えている。水平方向に位置しＬ字の一辺を形成する上端板部１０には、本体部２が挿通される貫通孔１１が形成される。貫通孔１１は、Ｌ字を形成する他方の立ち上がり板部１２と、後述の野縁係止片１３とに対して直交する方向に細長な長孔とされる。上端板部１０の先端部には、野縁係止部材６を取り付け用野縁１４に係止するための野縁係止片１３が連設されている。野縁係止片１３は斜め下向きに形成された鉤部である。
【００１３】
立ち上がり板部１２は、概ね垂直方向に位置し中央部に雌ねじが切られたねじ孔１５が形成されている。立ち上がり板部１２の下端には、直角に水平方向に曲げられた係合片１６が連設される。係合片１６の先端にはＶ字状の凹部１７が形成されており、凹部１７が本体部２の外周に係合する。
【００１４】
係合部材７は板材を曲げ加工して形成され、略Ｌ字状の断面を備えている。Ｌ字を形成する上端板部２１と立ち上がり板部２２とを備え、上端板部２１と立ち上がり板部２２との成す角度は９０°よりもやや大きくされる。立ち上がり板部２２は、野縁係止部材６の立ち上がり板部１２を外側から覆うように設置される。立ち上がり板部２２の略中央には、野縁係止部材６のねじ孔１５に螺合される蝶ボルト８の逃がし孔である丸孔２３が形成されている。上端板部２１には、本体部２が挿通可能な丸孔２４が形成されている。
【００１５】
本体部２の下部には外枠係止部４が装着され、本体部２の上部には野縁係止部材６が装着され、さらに野縁係止部材６を覆うように係合部材７が装着される。野縁係止部材６と係合部材７とは蝶ボルト８によって連結される。本体部２に装着された外枠係止部４，野縁係止部材６または係合部材７が本体部２から脱落することを防止するために、本体部２の上端と下端とはかしめられている。
【００１６】
取付用野縁１４はＣ型チャンネルを用いて形成される。取付用野縁１４は、Ｃ型チャンネルの開口部が水平方向に臨んだ状態で、天井の上方に取付けられた野縁受け２８に載置される。野縁受け２８の下側には連結部材（図示せず）を介して野縁２９が取り付けられており、天井材３０は野縁２９の下面に当接した状態でビス止めされている。天井点検口の外枠３は、天井材３０の所定位置に形成された正方形の開口部に嵌められる。
【００１７】
外枠吊り下げ装置１は、図８に示すように、本体部２が水平方向に向けられて、外枠係止部４が外枠３に嵌め込まれる。外枠係止部４が外枠３に嵌め込まれた外枠吊り下げ装置１は、本体部２が垂直方向に向くように回動させて起こされる。蝶ボルト８を緩めた状態で、野縁係止部材６の野縁係止片１３を取付用野縁１４の開口部上側端部３１に引っ掛ける。
【００１８】
使用者が蝶ボルト８を締め込むと、係合部材７は、上端板部２１の丸孔２４に本体部２が挿通された状態で、立ち上がり板部２２の下端３２が、野縁係止部材６の立ち上がり板部１２であって係合片１６の基端部近傍に当接する。蝶ボルト８をさらに締め込むと、本体部２は、長孔である貫通孔１１に沿って野縁係止片１３に近づく方向に移動し、丸孔２４の野縁係止片１３側に位置する内面３４に当接する。野縁係止部材６は、本体部２の外周に係合した凹部１７を中心として、係合部材７の立ち上がり板部２２と野縁係止部材６の立ち上がり板部１２との間の隙間を小さくする方向に回動する。これによって、外枠吊り下げ装置１が取付用野縁１４に係止される。
【００１９】
野縁係止部材６と係合部材７とは、蝶ボルト８を緩めた状態で、本体部２に沿ってスライドさせることができる。野縁係止部材６と係合部材７とを取付用野縁１４の開口部上側端部３１の位置までスライドさせ、野縁係止部材６の野縁係止片１３を取付用野縁１４の開口部上側端部３１に引っ掛ける。野縁係止片１３を開口部上側端部３１に引っ掛けた状態で蝶ボルト８を締め込むことによって野縁係止部材を取付用野縁にワンタッチで固定することができる。
【００２０】
係合部材７は、上端板部２１の丸孔２４に本体部２が挿通され、立ち上がり板部２２の下端３２が野縁係止部材６の立ち上がり板部１２に当接した状態で蝶ボルト８が締め込まれたとき、野縁係止部材６の立ち上がり板部１２が係合部材７の立ち上がり板部２２に重なって面接触することがない形状とされる。また、野縁係止部材６の上端板部１０に形成される貫通孔１１は、使用者が蝶ボルト８を締め込んで本体部２が移動したときに、本体部２が貫通孔１１の周縁部に当接しない長さの長孔とされる。
【００２１】
このように、天井点検口の平面形状が矩形の外枠３の少なくとも１組の対向する外枠部材に係止される外枠係止部４を下端に備えた棒状の本体部２と、この本体部２に装着され、本体部２の外周面に係合する係合片１６と、この係合片１６から直角に上向きに立ち上がるように連設された立ち上がり板部１２と、この立ち上がり板部１２の上端に直角に前記係合片１６と平行となるように連設された上端板部１０と、この上端板部１０の先端に下向きに連設された野縁係止片１３とを備えるとともに、立ち上がり板部１２と野縁係止片１３とに対して直交する方向に向くように上端板部１０に長孔である貫通孔１１が形成され、立ち上がり板部１２の略中央に雌ねじ孔１５が形成されてなる野縁係止部材６と、野縁係止部材６の立ち上がり板部１２に外側から重なり略中央に雌ねじ孔１５に重なる丸孔２３を備えた立ち上がり板部２２と、この立ち上がり板部２２の上端に９０°よりもやや大きめの角度で連設され本体部２が挿通可能な孔部２４を備えた上端板部２１とからなる係合部材７と、係合部材７の立ち上がり板部２２と野縁係止部材６の立ち上がり板部１２との間の隙間を狭めるように丸孔２３を介して雌ねじ孔１５に螺入する締め付け用雄ねじ部材である蝶ボルト８とを備えているので、蝶ボルト８を丸孔２３を介して雌ねじ孔１５に螺入して、係合部材７の立ち上がり板部２２と野縁係止部材６の立ち上がり板部１２との間の隙間を狭めることができ、野縁係止部材６を取付用野縁１４にワンタッチで固定して、取り付け作業時間の短縮を図ることができる。
【符号の説明】
【００２２】
１    天井点検口の外枠吊り下げ装置
２    本体部
３    外枠
４    外枠係止部
６    野縁係止部材
７    係合部材
８    蝶ボルト
９，１１    貫通孔
１０，２１    上端板部
１２，２２    立ち上がり板部
１３    野縁係止片
１４    取り付け用野縁
１５    ねじ孔
１６    係合片
１７    凹部
２３，２４    丸孔
２８    野縁受け
２９    野縁
３０    天井材
３１    開口部上側端部
３２    下端
３３    背面
３４    内面
【図１】
2013023958.tif 000003
【図２】
2013023958.tif 000004
【図３】
2013023958.tif 000005
【図４】
2013023958.tif 000006
【図５】
2013023958.tif 000007
【図６】
2013023958.tif 000008
【図７】
2013023958.tif 000009
【図８】
2013023958.tif 000010
【図９】
2013023958.tif 000011